(57)【要約】  色切換システムの確実性および効率を改善するために、媒体弁（３）が圧縮空気によって操作され、この場合、圧縮空気供給は、内部に媒体弁（３）が配置されているステータ（１）がセレクトヘッド（２）と接触している場合にしか可能とならないことが提案される。
2019528175.tif 000002
【特許請求の範囲】
【請求項１】
色切換システムであって、
フロント側を有するステータ（１）を備え、該ステータ（１）は、多数の媒体弁（３）を有し、該媒体弁（３）の流入部が、各１つの媒体供給部（４）に接続されており、前記媒体弁（３）の流出部（５）が、前記ステータ（１）の前記フロント側に開口しており、前記媒体弁（３）の各々は、前記ステータ（１）に形成された弁室の内部に弁閉鎖体（２４）を有し、該弁閉鎖体（２４）は、前記弁室内に向けられた弁開口（２５）上へ移動可能であり、前記弁閉鎖体（２４）は、流体圧によって加圧可能でかつ前記ステータの内部に配置された作動ピストンに結合されており、該作動ピストンは、制御圧室に隣接しており、さらに、前記ステータ（１）の前記フロント側に対面して配置されたセレクトヘッド（２）を備え、該セレクトヘッド（２）は、ステータフロント側に対して直角に延びる軸線を中心にして回転可能であり、かつ／またはステータフロント側に対して平行に移動可能であり、前記セレクトヘッド（２）の、ステータフロント側に面したバック側が、媒体流入部（８）を有し、該媒体流入部（８）は、前記セレクトヘッド（２）を回転させ、かつ／または平行移動させることによって媒体弁流出部（５）と整合させられ、前記セレクトヘッド（２）は、媒体管路（７）を有し、該媒体管路（７）は、前記媒体流入部（８）を前記色切換システムの媒体取出し部に接続している、色切換システムにおいて、
前記色切換システムは、流体接続部（１６）を有し、該流体接続部（１６）を起点として複数の制御通路（１８）が延びており、該制御通路（１８）は、前記媒体弁（３）の前記制御圧室に通じており、前記制御通路の各々に、機械式に操作可能な各１つの切換弁が設けられており、機械的に作用する手段がさらに設けられており、該手段は、前記ステータ（１）に対する前記セレクトヘッド（２）の相対的な位置に応じて、選択的にその都度１つの切換弁しか操作されないように構成されていることを特徴とする、色切換システム。
【請求項２】
前記切換弁は、該切換弁が、操作されていない状態では各制御圧管路を遮断し、操作された状態では各制御圧管路を開放するように構成されていることを特徴とする、請求項１記載の色切換システム。
【請求項３】
前記ステータ（１）は、前記流体接続部（１６）を有し、該流体接続部（１６）は、前記媒体弁（３）を切り換えるために、各１つの制御通路（１８）を介して前記媒体弁（３）の前記制御圧室に接続されており、前記制御通路（１８）の各々の内部で、突起によって機械式に操作可能な各１つの切換弁（１９）が前記ステータ（１）に設けられており、前記セレクトヘッド（２）のバック側に突起（２２）が設けられており、該突起（２２）は、前記セレクトヘッド（２）のバック側が前記ステータのフロント側に連結されているときに前記切換弁（１９）を開放し、これによって、前記制御通路（１８）のうち、前記ステータに位置する前記媒体弁流出部（５）が前記セレクトヘッド（２）に位置する前記媒体流入部（８）に接続されている状態にある前記媒体弁（３）に通じた制御通路（１８）を開放することを特徴とする、請求項２記載の色切換システム。
【請求項４】
前記セレクトヘッド（２）は、ステータフロント側に対して直角に可動であり、前記突起（２２）は、前記セレクトヘッド（２）のバック側に形成されていて、該バック側から垂直に突出しており、前記切換弁（１９）は、前記ステータのフロント側に開口した孔（２３）内に収納されており、前記突起（２２）は、前記孔（２３）内に進入するように構成されており、前記孔（２３）は、それぞれ、前記媒体流入部（８）に対する前記突起（２２）の位置決めと同じになるように前記媒体弁流出部（５）に対して位置決めされていることを特徴とする、請求項３記載の色切換システム。
【請求項５】
前記ステータ（１）は、流体接続部（１６）を有し、該流体接続部（１６）は、前記媒体弁（３）を切り換えるために、各１つの制御通路（１８）を介して前記媒体弁（３）の前記制御圧室に接続されており、前記制御通路（１８）の各々は、それぞれ供給管路（６１）を有し、該供給管路（６１）は、前記ステータ（１）のロータ側に設けられた所属の開口（６２）に通じており、該開口（６２）を起点として引き続き継続管路（６３）が延びており、該継続管路（６３）は、前記媒体弁（３）の各々に通じており、前記セレクトヘッド（２）のステータ側に複数の栓体（６４）が設けられており、該栓体（６４）は、前記ステータ（１）に前記セレクトヘッド（２）が当て付けられた状態で、前記供給管路（６１）のうちの１つを除いたすべての前記供給管路（６１）が前記栓体（６４）によって閉じられて、該供給管路（６１）の、前記継続管路（６３）に対する接続が遮断されるように前記開口（６２）に対して位置決めされており、前記媒体流入部（８）に並んで１つの栓体の代わりに１つの閉鎖部（６６）が設けられており、該閉鎖部（６６）は、前記継続管路（６３）に対する前記供給管路（６１）の接続を遮断することなく、所属の前記開口（６２）をカバーすることを特徴とする、請求項１から４までのいずれか１項記載の色切換システム。
【請求項６】
前記ステータ（１）内に、前記流体接続部（１６）に接続されている管路（１７）が延びており、該管路（１７）を起点として前記供給管路（６１）が延びており、該供給管路（６１）は、前記ステータ（１）のセレクトヘッド側に開口していて、該セレクトヘッド側に各１つの開口（６２）を形成しており、該開口（６２）を起点として、引き続きそれぞれ１つの継続管路（６３）が延びており、該継続管路（６３）は、前記媒体弁（３）の各々に通じていることを特徴とする、請求項５記載の色切換システム。
【請求項７】
その都度アクティブになった前記媒体弁（３）の前記開口（６２）を閉鎖するために、前記セレクトヘッド（２）に閉鎖部（６６）が設けられていることを特徴とする、請求項６記載の色切換システム。
【請求項８】
前記閉鎖部（６６）は、前記セレクトヘッド（２）の端面に設けられた閉鎖領域により形成されており、該閉鎖領域は、環状シール部材（６７）によって取り囲まれていることを特徴とする、請求項７記載の色切換システム。
【請求項９】
前記栓体（６４）は、前記セレクトヘッド（２）の端面から突出した円筒体であり、該円筒体の直径が、前記供給管路（６１）の直径よりも少しだけ小さく形成されていることを特徴とする、請求項５記載の色切換システム。
【請求項１０】
前記円筒体の外周面に各１つのシールリング（６５）が設けられており、該シールリング（６５）は、前記供給管路（６１）の内周面に対して前記円筒体の外周面をシールしていることを特徴とする、請求項９記載の色切換システム。
【請求項１１】
前記栓体（６４）のうちの少なくとも１つは、貫通孔（６８）を有していることを特徴する、請求項５記載の色切換システム。
【請求項１２】
前記媒体弁（３）のうちの少なくとも１つに、前記ステータ（１）に設けられた循環弁（４０）が対応しており、該循環弁（４０）の流出部が、前記媒体弁（３）の流入部に対する接続を有しており、前記媒体弁（３）は、該媒体弁（３）の前記制御圧室に圧力が付与されると開弁されるように構成されており、前記循環弁（４０）の弁閉鎖体が、流体圧によって加圧可能でかつ前記ステータ（１）の内部に配置された作動ピストンに結合されており、該作動ピストンは、制御圧室に隣接しており、前記循環弁（４０）は、該循環弁（４０）の前記制御圧室に圧力が付与されると閉弁されるように構成されていることを特徴とする、請求項１から１１までのいずれか１項記載の色切換システム。
【請求項１３】
前記循環弁（４０）の前記制御圧室は、切換可能な付加制御通路（４２）を介して前記流体接続部（１６）に接続されていることを特徴とする、請求項１２記載の色切換システム。
【請求項１４】
前記付加制御通路（４２）に付加切換弁（４１）が設けられていることを特徴する、請求項１３記載の色切換システム。
【請求項１５】
前記付加制御通路（４２）内の前記付加切換弁（４１）は、突起（４５）によって機械式に操作可能であり、前記セレクトヘッド（２）のバック側に付加突起（４５）が設けられており、前記セレクトヘッド（２）のバック側が前記ステータ（１）のフロント側に当て付けられると、前記付加突起（４５）は、前記循環弁（４０）に所属している前記付加切換弁（４１）を開弁するようになっていることを特徴する、請求項１４記載の色切換システム。
【請求項１６】
前記媒体管路（７）に少なくとも１つのフラッシュ管路（１１）が開口しており、該フラッシュ管路（１１）内に、前記媒体管路（７）に向かって開く少なくとも１つのフラッシュ逆止弁（１２）が設けられており、前記媒体流入部（８）に、前記セレクトヘッド（２）のバック側に直接続くように遮断逆止弁（１０）が配置されており、該遮断逆止弁（１０）は、前記セレクトヘッド（２）のバック側に向かって遮断し、内部に配置された前記フラッシュ逆止弁（１２）を備えた前記フラッシュ管路（１１）は、前記遮断逆止弁（１０）の下流側で前記媒体管路（７）に開口していることを特徴する、請求項１から１５までのいずれか１項記載の色切換システム。
【請求項１７】
前記媒体管路（７）に少なくとも１つのフラッシュ管路（１１）が開口しており、該フラッシュ管路（１１）内に、前記媒体管路（７）に向かって開く少なくとも１つのフラッシュ逆止弁（１２）が設けられており、前記媒体管路内に、少なくとも該媒体管路（７）への前記フラッシュ管路（１１）の開口部と、前記媒体流入部（８）との間の領域で、弁が存在していないことを特徴する、請求項１から１５までのいずれか１項記載の色切換システム。
【請求項１８】
前記弁閉鎖体（２４）は、弁ステムの端部に設けられており、該弁ステムは、中空通路（５０）を有し、該中空通路（５０）は、前記弁閉鎖体（２４）の手前で終わっていて、側方の出口（５１）を有することを特徴する、請求項１から１７までのいずれか１項記載の色切換システム。
【発明の詳細な説明】
【技術分野】
【０００１】
本発明は、請求項１の前提部に記載の色切換システムに関する。
【０００２】
独国特許出願公開第１０２０１５１０２３３２号明細書に基づき公知の色切換システムでは、流体圧制御式の媒体弁がステータ内に配置されている。この場合、セレクトヘッドに配置された媒体流入部が、媒体弁の媒体弁流出部の正面に位置するように回転させられていると、媒体弁が開弁されるやいなや、この媒体流入部に着色媒体（塗料）が供給される。さらに、洗浄用のフラッシュ管路が設けられており、このフラッシュ管路は、媒体流入部に続いた媒体管路に側方で開口しているか、または中央でも開口している。このような配置形式は、セレクトヘッドがステータに接触している場合にしか媒体管路のフラッシングを可能にしない。したがって、フラッシングによる洗浄中は、ステータに対してセレクトヘッドを回転させることができず、ひいては色切換えを行うこともできない。
【０００３】
独国実用新案第２０１２２７５９号明細書に記載の構成では、媒体弁が、ステータに設けられた弁閉鎖体と弁座と、セレクトヘッドに設けられた流体作動式のプランジャとから成っている。フラッシングによる洗浄のためには、このプランジャが引き戻されるので、媒体弁が閉弁する。引き続き、媒体管路の洗浄のために、フラッシュ弁が開弁される。この場合、媒体流入部を閉鎖された状態に保持するために、セレクトヘッドはステータに接触している。
【０００４】
欧州特許出願公開第２０７５０７３号明細書に記載の構成では、媒体弁が、セレクトヘッドに固定配置されたプランジャによって操作される。この場合にも、媒体管路が洗浄される際に、媒体流入部を閉鎖された状態に保持するために、セレクトヘッドはステータに接触している。
【０００５】
欧州特許出願公開第２９８７５５８号明細書の図１につき説明されている色切換システムでは、制御圧室が、それぞれ１つのブロー孔を備えており、この場合、これらのブロー孔のうち、その制御圧室が、セレクトヘッド内の媒体管路に接続された流出部を備えている媒体弁に所属しているブロー孔だけが、セレクトヘッドに設けられた栓体によって閉じられる。その他のブロー孔は開いたままとなるので、所属の制御圧室が空気圧源に接続されても、これらの制御圧室には、所属の媒体弁を開弁させる圧力は形成され得ない。
【０００６】
本発明は、媒体弁の制御を容易にし、かつ一層確実にするという課題に基づいている。特に、セレクトヘッドがまだステータに接触していない場合に、媒体弁が開弁されてしまうことが阻止されることが望まれる。
【０００７】
この問題を解決するために、本発明の構成では、色切換システムが、流体接続部を有し、該流体接続部を起点として複数の制御通路が延びており、該制御通路が、前記媒体弁の前記制御圧室に通じており、前記各制御通路に、機械式に操作可能な各１つの切換弁が設けられており、該切換弁が、操作されていない状態では制御圧管路を遮断し、操作された状態では制御圧管路を開放し、さらに、機械的に作用する手段が設けられており、該手段は、前記ステータに対する前記セレクトヘッドの相対的な位置に応じて、選択的にその都度１つの切換弁しか操作されないように構成されている。
【０００８】
「選択的に」とは、ステータとセレクトヘッドとが互いに連結されている場合に、ステータに設けられた媒体流入部と位置が整合している媒体弁だけがその都度開弁され得ることを意味する。その他のすべての媒体弁は、流体接続部に圧力が加えられても閉じられたままとなる。なぜならば、これらの媒体弁の制御通路がこの状況では閉じられているからである。
【０００９】
媒体弁は、好ましくは座弁として形成されており、この場合、弁開口は弁シール座により形成される。しかし、媒体弁はスプール弁であってもよい。
【００１０】
好ましくは、切換弁は、操作されていない状態では各制御圧管路を遮断し、操作された状態では各制御圧管路を開放するように構成されている。
【００１１】
このことを確実に達成するために、本発明の別の構成では、ステータが、流体接続部を有し、この流体接続部が、媒体弁を切り換えるために、各１つの制御通路を介して媒体弁の制御圧室に接続されており、各制御通路内で、突起によって機械式に操作可能な各１つの切換弁がステータに設けられており、セレクトヘッドのバック側（後側）に突起が設けられており、この突起は、セレクトヘッドのバック側がステータのフロント側に連結されているときに切換弁を開放し、これによって、前記制御通路のうち、ステータに位置する媒体弁流出部がセレクトヘッドに位置する媒体流入部に接続されている状態にある媒体弁に通じた制御通路を開放する。
【００１２】
こうして、まず、ステータとセレクトヘッドとが互いに連結されている場合にしか各媒体弁が操作され得ないことが達成される。すなわち、ステータとセレクトヘッドとが互いに連結されている場合にのみ、突起は切換弁の開弁によって制御通路を開放するので、媒体弁は、流体接続部に加えられた流体圧もしくは制御通路内の流体圧（制御圧）によって操作され得る。
【００１３】
このような操作は、最も簡単には、セレクトヘッドが、ステータフロント側に対して直角に可動であり、突起が、セレクトヘッドのバック側に形成されていて、このバック側から垂直に突出しており、切換弁が、ステータのフロント側に開口した孔内に収納されており、突起が、この孔内に進入するように構成されており、この孔が、それぞれ、媒体流入部に対する突起の位置決めと同じになるように媒体弁流出部に対して位置決めされていることにより実現され得る。
【００１４】
別の構成では、同じ目的が達成される。本発明のこの構成では、媒体弁が、流体制御されており、ステータが、各媒体弁のためにステータフロント側に設けられた流体接続部を有し、この流体接続部が、制御通路を介して、それぞれ所属する媒体弁を切り換えるために、この媒体弁の制御圧室に接続されており、各制御通路内に、流体接続部に向かって遮断する逆止弁が設けられており、セレクトヘッド内に集合制御通路が延びており、この集合制御通路が、セレクトヘッドのバック側に開口しており、この集合制御通路の開口部は、媒体弁流出部が媒体流入部と整合している媒体弁に通じた制御通路を有する流体接続部と整合している。
【００１５】
さらに別の構成では、本発明の択一的な別の解決手段として、ステータが、流体接続部を有し、この流体接続部が、媒体弁を切り換えるために、各１つの制御通路を介して媒体弁の制御圧室に接続されており、各制御通路が、それぞれ供給管路を有し、この供給管路が、ステータのセレクトヘッド側に設けられた所属の開口に通じており、この開口を起点として引き続き継続管路が延びており、この継続管路が、各媒体弁に通じており、セレクトヘッドのステータ側に複数の栓体が設けられており、これらの栓体は、ステータにセレクトヘッドが当て付けられた状態で、前記供給管路のうちの１つを除いたすべての供給管路が栓体によって閉じられて、これらの供給管路の、継続管路に対する接続が遮断されるように前記開口に対して位置決めされており、媒体管路に並んで１つの栓体の代わりに１つの閉鎖部が設けられており、この閉鎖部が、継続管路に対する供給管路の接続を遮断することなく、前記開口をカバーする。
【００１６】
こうして、媒体流入部と位置が整合している媒体弁だけが制御管路を介して操作され得ることが達成される。
【００１７】
このためには、流体接続部に通じた供給管路に、または供給管路内に、すべての制御通路にとって共通の１つの接続弁が設けられている。この接続弁が開弁されると、供給管路内に操作流体（たとえば圧縮空気）が形成される。しかし、媒体弁とは整合していない、媒体弁に通じるすべての供給管路は閉じられているので、形成された操作圧は、これらの媒体弁には伝播されない。
【００１８】
開口が単にカバーされているに過ぎない供給管路だけは、引き続き、継続管路に対する接続を有するので、この継続管路に接続された、媒体流入部と整合している媒体弁を操作することができる。これにより、塗料はこの媒体弁を介して媒体管路へ到達することができる。
【００１９】
好ましくは、ステータ内に、流体接続部に接続されている管路（環状管路または分岐管路）が設けられている。この管路を起点として複数の供給管路が延びており、これらの供給管路は、ステータのセレクトヘッド側に開口していて、このセレクトヘッド側に各１つの開口を形成している。これらの開口を起点として、引き続きそれぞれ１つの継続管路が延びており、この継続管路が、各媒体弁に通じている。
【００２０】
その都度アクティブになった媒体弁の開口を閉鎖するために、セレクトヘッドには閉鎖部が設けられている。この閉鎖部は、セレクトヘッドの平坦な領域であってもよい。セレクトヘッド全体がディスクとして形成されていて、既に最初から平坦な端面を有している場合には、この端面の部分領域が閉鎖部を形成する。
【００２１】
開口のシールを改善するためには、セレクトヘッドの端面に設けられた閉鎖領域に対してこの閉鎖領域を取り囲むように環状シール部材が設けられている。
【００２２】
栓体は、セレクトヘッドの端面から突出した円筒体であり、この円筒体の直径は、供給管路の直径よりも少しだけ小さく形成されている。円筒体の外周面には、シールリングが設けられており、このシールリングが、供給管路の内周面に対して円筒体の外周面をシールしている。
【００２３】
前記栓体のうちの少なくとも１つは貫通孔を有する。これにより、供給管路内で有効である圧力は、場合によっては別の切換役目を引き受けるために、引き続き通路を介して案内され得る。
【００２４】
この栓体の場合にも、媒体弁の制御圧室に通じた継続管路に対する供給管路の接続は遮断されたままとなる。
【００２５】
媒体弁の、前で説明した固有の両制御形式は、ロータまたはリニアキャリッジとして形成されているセレクトヘッドを用いて使用され得る。
【００２６】
一般に、各媒体弁流入部には、それぞれ唯一種の色もしくは塗料しか供給されないので、実際には、セレクトヘッド内の媒体管路をフラッシュ洗浄することしか必要とならない。
【００２７】
しかし、滅多に使用されない数種の塗料については、唯一つの媒体弁を介してのみ、これら数種の塗料が導入される。この媒体弁の媒体供給部は、個々に切換可能な複数の管路を介して複数の塗料容器に接続されている。したがって、色替えの際には、この媒体弁もクリーニングされなければならない。
【００２８】
しかし、複数種の塗料のために唯一つの媒体弁を使用することには、次のような利点がある。すなわち、あまり使用されない塗料が一連の複数の媒体弁を占有してしまい、頻繁に使用される塗料のために媒体弁がもはや提供されていないという事態は生じない。このような事態が生じると、より大きな個数の媒体弁が提供されなければならず、このことは色切換システムを拡大し、しかもより長い色替え時間を招いてしまう。なぜならば、セレクトヘッドが、各媒体弁の間の、より大きな区間を移動しなければならないからである。
【００２９】
したがって、本発明は、複数種の塗料が接続されている少なくとも１つの多色用もしくは多塗料用の媒体弁を備えた色切換システムを改良して、この媒体弁を色替え後にクリーニングすることが可能になり、かつ別の媒体弁へのセレクトヘッドの移動調節によって色替えを時間的に妨げることがないように色切換システムを調整する、という課題に基づいている。
【００３０】
この課題を解決するために、本発明の構成では、媒体弁のうちの少なくとも１つに、ステータに設けられた循環弁が対応しており、この循環弁の流出部が、媒体弁の流入部に対する接続を有しており、媒体弁は、この媒体弁の制御圧室に圧力が付与されると開弁されるように構成されており、循環弁の弁閉鎖体が、流体圧によって加圧可能でかつ前記ステータの内部に配置された作動ピストンに結合されており、この作動ピストンが、制御圧室に隣接しており、循環弁は、この循環弁の制御圧室に圧力が付与されると閉弁されるように構成されている。
【００３１】
塗装のためには、両制御圧室に制御圧が加えられ、これにより媒体弁は開弁し、循環弁は閉弁する。媒体弁の媒体供給部に溜まっている塗料は、開いた媒体弁を通じて媒体管路に流入して消費器へ導かれる。
【００３２】
この媒体弁をフラッシングにより洗浄するためには、制御圧室から制御圧が取り出されるので、媒体弁は閉弁し、循環弁は開弁する。その結果、押出し媒体によって、まず目下の塗料が媒体弁から切換弁を介して容器内へ戻し案内され得るようになり、そして引き続き、フラッシュエアおよび／または溶剤によって媒体弁がクリーニングされる。
【００３３】
このときに媒体弁の媒体流出部は閉じられているので、セレクトヘッドは連結されている必要はない。それどころか、セレクトヘッドは所定位置において別の媒体弁へもたらされ得るので、この媒体弁に供給された塗料を用いて作業することができる。
【００３４】
このような配置形式は、媒体弁のフラッシングによる洗浄を可能にするので、この媒体弁は、多色用もしくは多塗料用の媒体弁として使用され得る。
【００３５】
択一的な別の態様では、付加制御通路に、好ましくは突起により機械式に操作可能な付加切換弁を設けることができる。セレクトヘッドのバック側には付加突起が設けられており、セレクトヘッドのバック側がステータのフロント側に当て付けられると、付加突起が、付加切換弁を開弁するようになっている。
【００３６】
媒体弁の、上で説明した固有の制御は、好ましくは、媒体管路に少なくとも１つのフラッシュ管路が開口しており、このフラッシュ管路内に、媒体管路に向かって開く少なくとも１つのフラッシュ逆止弁が設けられているような色切換システムにおいて使用され得る。この場合、媒体流入部には、セレクトヘッドのバック側に直接続くように、遮断逆止弁が配置されており、この遮断逆止弁は、セレクトヘッドのバック側に向かって遮断するようになっている。管路内部にフラッシュ逆止弁が配置されているフラッシュ管路は、遮断逆止弁の下流側で媒体管路に開口している。
【００３７】
媒体流入部に遮断逆止弁が設けられているので、媒体管路のフラッシングによる洗浄は、セレクトヘッドがステータから分離されている間に行われ得る。遮断逆止弁を介して媒体管路に流入したフラッシュ剤は、遮断逆止弁を遮断する。
【００３８】
したがって、こうして比較的迅速に色替えを行うことができる。セレクトヘッドが次の位置へ移動する間、セレクトヘッド内の媒体管路のフラッシング洗浄が行われるので、次の媒体弁を介して供給される塗料は、媒体管路内の残分とは混ざらない。本発明によれば、媒体管路のフラッシュ洗浄のために、組換え時間が利用されるので、２種の塗料間での色替えは一層迅速に行われ得る。
【００３９】
しかし、このことは、本発明を拡張するための選択的な可能性であるに過ぎない。基本的には、媒体流入部は開いたままであってもよく、すなわち遮断逆止弁を備えていなくともよい。その場合には、媒体管路に少なくとも１つのフラッシュ管路が開口しており、このフラッシュ管路内には、媒体管路に向かって開く少なくとも１つのフラッシュ逆止弁が設けられている。しかし、この場合、媒体管路内には、少なくともこの媒体管路へのフラッシュ管路の開口部と、媒体流入部との間の領域で、弁が存在していない。本発明のこのような構成では、フラッシングは、セレクトヘッドがステータに連結されていて、かつ媒体弁が閉じられている場合に行われなければならない。したがって、フラッシングは、弁が閉じられた後か、またはセレクトヘッドが送られる前に、あるいはセレクトヘッドが別の媒体弁へ送られた後で、しかも媒体弁が開かれる前に、行われる。フラッシュ剤は、媒体管路をクリーニングし、かつ部分的になお媒体弁流出部にも流入して、媒体弁の遮断エレメントにまで流れる。
【００４０】
媒体弁の弁閉鎖体と弁シール座とをフラッシュ剤によって慎重にクリーニングできるようにするためには、好ましくは弁ステムの端部に、媒体弁の弁閉鎖体が設けられており、この場合、この弁ステムは中空通路を有し、この中空通路は、弁閉鎖体の手前で終わっていて、側方の複数の出口を有する。
【００４１】
以下に、本発明を実施形態につき詳しく説明する。
【図面の簡単な説明】
【００４２】
【図１】色切換システムの第１の構成を、ステータとセレクトヘッドとが互いに連結されていて、これにより切換弁が開弁されて、制御通路をアクティブな媒体弁に対して開放している状況で示す図である。
【図２】図１と同様の状況であって、流体接続部を介して制御流体が、開いた制御通路を経由して媒体弁に供給され、これによりこの媒体弁が開弁している状態を示す図である。
【図３】図１と同様の状況であって、媒体弁が閉弁された状態で少なくとも１つのフラッシュ管路を介してフラッシュ剤がセレクトヘッド内の媒体管路に供給される状態を示す図である。
【図４】ステータとセレクトヘッドとが互いに分離されていて、さらにフラッシュ管路を介して媒体管路にフラッシュ剤が供給される状況を示す図である。
【図５】色切換システムの第２の構成を、ステータとセレクトヘッドとが互いに連結されている状態で示す部分的な拡大図である。
【図６】第２の構成を、ステータとセレクトヘッドとが互いに分離されていて、さらにフラッシュ管路を介して媒体管路にフラッシュ剤が供給される状況を示す図である。
【図７】１つの媒体弁と１つの循環弁とを備えたステータを、セレクトヘッドがステータに連結されていて、ただし流体接続部に制御圧が加えられていないので、媒体弁と循環弁とがその基本位置に位置している状態で示す図である。
【図８】図７と同様の状況であって、ただし制御圧が加えられていて、媒体弁と循環弁とが切り換えられている状況を示す図である。
【図９】１つの媒体弁と１つの循環弁とを備えたステータを、セレクトヘッドがステータから引き離されていて、切換弁が閉弁されている状態で示す図である。
【図１０】１つの媒体弁と１つの循環弁との弁閉鎖体と弁座とを示す拡大図である。
【図１１】別の色切換システムを、セレクトヘッドがステータに連結されていて、媒体流入部と整合した媒体弁が開弁されている状況で示す横断面図である。
【図１２】１つの媒体管路と、弁なしの１つの媒体流入部８とを備えたセレクトヘッドの一部を示す図である。
【図１３】フラッシュ逆止弁の第１の変化形を示す図である。
【図１４】外部の制御部を備えたフラッシュ弁の形のフラッシュ逆止弁の第２の変化形を示す図である。
【図１５】第１のフラッシュ管路と第２のフラッシュ管路とが開口している１つの媒体管路を備えた色切換システムを示す図である。
【００４３】
図１につき、システムの個々の部位を説明する。後続の図面にも同一の部位が現れるが、しかしこの場合、それぞれ互いに異なる切換状況が示されている。
【００４４】
色切換システムは、ステータ１とセレクトヘッド２とから成り、セレクトヘッド２は、たとえばロータまたはリニアキャリッジとして構成されている。
【００４５】
ステータ１には、多数の媒体弁３が設けられている。これらの媒体弁３は、それぞれ１つの媒体供給部４に接続されており、媒体弁３の媒体弁流出部５はステータ１のフロント側６に位置している。これらの媒体弁３は、たとえば１つの円に沿って位置しているので、セレクトヘッド２を回転させることによって、セレクトヘッド２のバック側９に設けられた媒体流入部８に開口している、セレクトヘッド２に設けられた媒体管路７を、媒体弁の媒体弁流出部５のうちの１つと整合させることができる。
【００４６】
図１には、これらの媒体弁３のうちの１つだけが図示されている。媒体流入部８のすぐ背後には、遮断逆止弁１０が設けられており、この遮断逆止弁１０は媒体管路７の方向に開く。媒体管路７の下流側には、少なくとも１つのフラッシュ管路１１が開口している。このフラッシュ管路１１内には、媒体管路７の方向に開く別のフラッシュ逆止弁１２が設けられている。
【００４７】
媒体弁３は圧縮空気制御される（原理的にはハイドロリック式の制御または電気式の制御も可能である）。このためには、弁閉鎖体が、流体圧によって加圧可能でかつステータ内部に配置された作動ピストンに結合されており、この作動ピストンは制御圧室に隣接している。作動ピストンは図面には図示されていない。しかし、独国特許出願公開第１０２０１５１０２３３２号明細書には、作動体を備えた媒体弁の適当な構成が記載されており、この記載によれば、弁閉鎖体は、ステータ内に形成された弁室の内部に設けられていて、この弁室内へ向けられた弁シール座に向かって移動可能である。
【００４８】
各媒体弁３はカートリッジ内に埋め込まれている。このカートリッジは、ステータ１のバック側に設けられた凹設部内に取り付けられている。カートリッジの内部には、中空の弁ステムが設けられており、この弁ステムのヘッドには、円錐状に形成された弁閉鎖体が取り付けられている。この弁閉鎖体は、同じく円錐状に形成された弁座と協働する。この弁座はカートリッジのヘッドに形成されている。弁ステムの中空の構成は、流れに好都合な媒体案内を生ぜしめる。
【００４９】
ステータ１のバック側は、環状管路または分岐管路１７に対する流体接続部１６もしくは圧縮空気接続部１６を有する。環状管路または分岐管路１７は、それぞれ１つの制御通路１８を介して媒体弁３の操作部に接続されている。これらの制御通路１８のそれぞれには、１つの切換弁１９が設けられている。この切換弁１９は、たとえばダンベル形の閉鎖体２０を有し、この場合、この閉鎖体２０の一方のヘッドはシールリング２１に当付け可能であるので、制御通路１８は閉じられる。
【００５０】
閉鎖体２０の操作は、突起２２を用いて行われる。この突起２２はセレクトヘッド２のバック側９に設けられている。突起２２は、切換弁１９が配置されている孔２３内に進入する。
【００５１】
図１には、ステータ１とセレクトヘッド２とが、互いに当て付けられており、つまり互いに連結されており、これにより突起２２が孔２３内に進入して、切換弁１９を開弁させており、つまり切換弁１９の通過部を解放しているので、制御通路１８が開放されていることが示されている。しかし、まだ圧縮空気接続部１６に圧力が加えられていないので、媒体弁３はまだ閉じられており、すなわち媒体弁３の弁閉鎖体２４はまだ弁シール座２５に接触している。遮断逆止弁１０は軽度に開弁されている。なぜならば、遮断逆止弁１０の弁ボールが、媒体弁３の弁閉鎖体２４に当て付けられているからである。
【００５２】
図２には、圧縮空気が圧縮空気接続部１６に加えられた状態が示されている。これにより、媒体弁３は開弁し、これにより弁閉鎖体２４は弁シール座２５から離れる。流入した塗料は、遮断逆止弁１０の弁ボールを前方へ押しのけて、媒体流入部８をさらに開く。フラッシュ管路１１はフラッシュ逆止弁１２によって遮断される。
【００５３】
色替えのためには、まず、図３に図示したように、再び圧縮空気が遮断されるので、媒体弁３は閉じ、遮断逆止弁１０も、十分に閉じられた位置へ移動する。次いで、フラッシュ管路１１を介して洗浄剤もしくはフラッシュ剤が導入されると、フラッシュ逆止弁１２が開き、フラッシュ剤は媒体管路７に流入する。媒体流入部８を介した流出は阻止される。なぜならば、媒体流入部８はシールリング２６によって外部に対してシールされているからである。
【００５４】
次いで、セレクトヘッド２が引き戻されて（図４参照）、セレクトヘッド２を回転させるか、もしくはセレクトヘッド２を平行に移動させることにより、媒体流入部８が別の媒体弁３の正面に向けられると、まず切換弁１９は閉じられる。なぜならば、突起２２が孔２３から引き戻されたからである。さらに、遮断逆止弁１０が完全に閉じるので、媒体流入部８は閉じられており、セレクトヘッド２が次の媒体弁３に向かって運動させられる間、引き続き、洗浄フラッシュを継続させることができる。これによって、著しい時間節約が得られる。
【００５５】
図５および図６には、本発明の別の実施形態が図示されている。前で説明した実施形態とは異なり、突起作動式の切換弁は設けられておらず、それどころか、各媒体弁３はステータ１のフロント側６に設けられた固有の流体接続部３２に続いた固有の制御通路３１に接続されている。各流体接続部３２には、フロント側６に向かって閉じる逆止弁３３が設けられている。セレクトヘッド２には、唯一つの集合制御通路３４が設けられており、この集合制御通路３４は、図示されていない流体源（圧縮空気接続部）に接続されている。集合制御通路３４の開口部はその都度、媒体弁流出部５がセレクトヘッド２内の媒体流入部８と整合している媒体弁３に通じている制御通路３１を有する流体接続部３２（圧縮空気接続部）と整合する。圧縮空気を用いた操作により、この媒体弁３は開弁されるので、この媒体弁３を介して、図示されていないスプレイヘッドに通じた媒体管路７内へ塗料が導入される。
【００５６】
図７には、多色用もしくは多塗料用の媒体弁として使用されることが望ましい媒体弁３と、循環弁４０との組合せが図示されている。媒体弁３の接続部は、図１〜図４に図示したような接続部に相当している。この接続部に並んで循環弁４０が配置されており、この循環弁４０は原理的には媒体弁と同じ構造を有する。しかし、図示されていない作動ピストンは、付加制御通路４２を経由する圧力付与が、媒体弁の場合のように弁の開弁をもたらすのではなく、弁の閉弁をもたらすように、配置されている。
【００５７】
図示されている、媒体弁３と循環弁４０との配置は、機能形式を明らかにするために用いられる。一般には、ステータ１に２つの円に沿って配置されるほど多数の媒体弁３が必要とされる。その場合、媒体弁３と循環弁４０とが、互いに異なる円に沿って、互いに対してずらされて配置されていることが好ましい。このことは、一般に、２つの平行な切換弁（１９，４１）、すなわち図示されているように媒体弁３のための切換弁１９と、循環弁４０のための付加切換弁４１とを設けることをも必要とする。しかし、機能的には、両制御通路１８，４２を開閉する１つの切換弁しか必要とならない。
【００５８】
図９から判るように、循環弁４０の媒体弁流出部は、ステータ１のフロント側６に通じた貫通孔を有しておらず、それどころか、ステータ１内部の接続通路４４を介して媒体弁３の弁室に接続されている。
【００５９】
図７に示した、ステータ１とセレクトヘッド２との位置では、付加切換弁４１が、セレクトヘッド２に設けられた付加的な突起４５によって操作されているので、この付加切換弁４１は開弁されている。しかし、流体接続部１６に圧力は加えられていない。その結果、媒体弁３は閉弁されており、循環弁４０は開弁されている。これによって、接続通路４４を通じて、媒体弁３と循環弁４０との間に一貫した接続が形成されている。この循環弁４０は、さらに下で説明するように、色替えおよびフラッシング洗浄のために使用され得る。
【００６０】
基本的には、循環弁４０に通じた付加制御通路４２は、媒体弁３の切換弁１９によってもコントロールされ得るので、循環弁４０用の図示の付加的な切換弁４１を不要にすることができる。
【００６１】
図８には、図７と同一の状況が示されている。しかしこの場合には、流体接続部１６に制御圧が加えられており、この制御圧により、媒体弁３は開弁され、循環弁４０は閉弁される。
【００６２】
媒体弁３の媒体供給部４に溜められていた媒体は、図１〜図４につき説明したように、開いた媒体弁３を介して媒体管路７内に流入し、引き続き消費器（スプレイピストル）へ到達することができる。循環弁４０を経由する媒体の戻りは与えられていない。なぜならば、この循環弁４０は閉弁されているからである。
【００６３】
図９には、色替え時の状況が示されている。セレクトヘッド２はステータ１から引き離されており、したがって、セレクトヘッド２を新しい位置へ回転させることができるので、セレクトヘッド２の媒体流入部８を、別の媒体弁の媒体弁流出部へ移動させることができる。
【００６４】
突起２２，４５も切換弁１９，４１から引き離されているので、これらの切換弁１９，４１は閉弁されている。これにより、別の媒体弁を開くために場合によっては流体接続部１６における圧力付与が必要となったとしても、流体接続部１６における圧力付与とは無関係に、いかなる場合でも、図示の媒体弁３は閉弁されており、循環弁４０は開弁されている。
【００６５】
このことは、色替えおよび引き続き行われる両弁のフラッシングを可能にする。このためには、まず媒体弁の媒体供給部４において、いわゆる押出し媒体が装入され、この押出し媒体は目下の塗料を媒体弁３と循環弁４０とから押し出し、その後に交互にフラッシュ剤と空気とが後供給され、これにより媒体弁と接続通路４４と循環弁とから塗料残分が除去される。その後に、媒体弁３の媒体供給部４を介して新しい塗料を装入することが可能になる。また、循環弁４０を介して各媒体弁３に新しい塗料またはフラッシュ剤を供給することも可能である。
【００６６】
このフラッシング洗浄過程は、このシステムが全体的に引き続き作動し、かつ場合によっては別の媒体弁において塗料が搬出される間、行われる。
【００６７】
特に媒体弁３の、弁閉鎖体２４と弁シール座２５とを取り囲む領域を慎重にクリーニングするためには、図１０に示したように、弁ステムが中空通路５０を有している。この中空通路５０は弁閉鎖体２４の手前で終わっていて、側方の複数の出口５１を有している。
【００６８】
ヘッドはスリーブ５２内に進入しており、このスリーブ５２内には、媒体弁３の弁シール座２５が形成されている。スリーブ５２の外側の周面には、環状の溝が延びている。この周面はステータ１に設けられた媒体弁収容孔の壁に接触しているので、環状通路５３が形成されている。この環状通路５３は、スリーブ５２に設けられた横方向孔５４を介して中空通路５０に接続されている。
【００６９】
横方向孔５４は、弁閉鎖体２４が閉鎖位置に位置している場合に、弁閉鎖体２４の側方の出口５１の高さに位置している。
【００７０】
接続通路４４は、横方向孔５４に対向して位置するように、環状通路５３に開口している。
【００７１】
したがって、側方の出口５１から流出した空気もしくはフラッシュ剤は、強制的に、外側で弁閉鎖体２４の周囲を巡るように流され、次いで横方向孔５４を介して環状通路５３に流入し、さらにこの環状通路５３から接続通路４４へ向かって流れることができる。接続通路４４と横方向孔５４とをこのように互いに反対の側に位置するように配置することにより、弁閉鎖体２４が前後左右のあらゆる側でクリーニングされることが確保される。
【００７２】
図１１につき、さらに別の実施形態を説明する。
【００７３】
この色切換システムは、既に前で述べたように、ステータ１とセレクトヘッド２とから成り、セレクトヘッド２は、たとえばロータとして形成されている。
【００７４】
ステータ１には、多数の媒体弁３が設けられている。これらの媒体弁３は、それぞれ１つの媒体供給部４に接続されている。媒体弁３の媒体弁流出部５は、ステータ１のフロント側６に位置している。媒体弁３は、たとえば１つまたは複数の同心的な円に沿って位置しているので、セレクトヘッド２を回転させることにより、セレクトヘッド２のバック側９に設けられた媒体流入部８に開口している媒体管路７を、媒体弁流出部５のうちの１つと整合させることができる。図１１には、図面を簡単にするという理由からのみ、媒体弁が相並んで図示されているが、実際にはすべての媒体弁はセレクトヘッド２の回転軸線に対して等間隔を有している。
【００７５】
媒体流入部８のすぐ背後には、少なくとも１つの遮断逆止弁１０が配置されている。この遮断逆止弁１０は媒体管路７に向かって開く。媒体管路７の下流側には、フラッシュ管路１１が開口しており、このフラッシュ管路１１には、媒体管路７に向かって開く別のフラッシュ逆止弁１２が設けられている。
【００７６】
媒体弁３は圧縮空気制御される（原理的にはハイドロリック式の制御または電気式の制御も可能である）。このためには、媒体弁の弁閉鎖体が、流体圧によって加圧可能でかつステータ内部に配置された作動ピストンに結合されており、この作動ピストンは制御圧室に隣接している。作動ピストンは図面には図示されていない。しかし、独国特許出願公開第１０２０１５１０２３３２号明細書には、作動体を備えた媒体弁の適当な構成が記載されており、この記載によれば、弁閉鎖体は、ステータ１内に形成された弁室の内部に設けられていて、この弁室内へ向けられた弁シール座に向かって移動可能である。
【００７７】
各媒体弁３はカートリッジ内に埋め込まれている。このカートリッジは、ステータ１のバック側に設けられた凹設部内に取り付けられている。カートリッジの内部には、中空の弁ステムが設けられており、この弁ステムのヘッドには、たとえば円錐状に形成された弁閉鎖体が取り付けられている。この弁閉鎖体は、同じく円錐状に形成された弁座と協働する。この弁座はカートリッジのヘッドに形成されている。弁ステムの中空の構成は、流れに好都合な媒体案内を生ぜしめる。
【００７８】
ステータ１のバック側は、環状管路１７に対する流体接続部もしくは圧縮空気接続部１６を有する。環状管路１７は、それぞれ１つの制御通路１８を介して媒体弁３の操作部に接続されている。
【００７９】
環状管路１７を起点として複数の供給管路６１が延びており、これらの供給管路６１はステータ１のセレクトヘッド側において開口６２に開口していて、この開口６２に対して直角に延びている。
【００８０】
開口６２は、供給管路６１自体よりも大きな横断面を有するので、開口の底部からは、引き続き、斜めに延びる継続管路６３が各媒体弁３にまで延びている。これらの開口６２は、すべて、各媒体弁３に対して同一の位置決めを有している。
【００８１】
セレクトヘッド２のステータ側には、多数の栓体６４が設けられている。この場合、栓体６４の数は、媒体弁３の数もしくはそれぞれ所属の開口６２の数よりも１つだけ少ない。
【００８２】
セレクトヘッド２における栓体６４の分配は、ステータ１における開口６２の分配に相当しているので、セレクトヘッド２がステータ１に連結されると、ステータ１に対するセレクトヘッド２の回転角度位置調整とは無関係に、すべての栓体６４が、それぞれ１つの開口６２を見つける。
【００８３】
栓体６４は、供給管路６１内に進入する短い円筒体である。この場合、円筒体の外縁部にはシールリング６５が設けられている。このシールリング６５は、栓体６４が、図１１に示したように、供給管路６１内に進入している場合に、供給管路６１の周壁面に当て付けられている。
【００８４】
媒体流入部８に並んで、栓体６４ではなく、閉鎖部６６が設けられているので、媒体流入部８に向かい合って位置している媒体弁３に通じた供給管路６１は、栓体６４とは対応せず、これによってこの供給管路６１は遮断されることもない。閉鎖部６６は開口６２をカバーしているに過ぎない。このことは、この場合に流体接続部１６の制御流体が流出し得ることを阻止するが、しかし継続管路６３への進入路を遮断するものではない。
【００８５】
この実施形態では、セレクトヘッド２が、ステータに面した平らな端面を有するディスクにより形成されているので、閉鎖部６６はこの端面の、各開口６２を完全にカバーする部分領域によって形成される。開口６２に対するこの部分領域のシール性は、この部分領域のところで、開口６２を取り囲むシールリング６７がこの端面に嵌め込まれていることにより、改善され得る。
【００８６】
図１１には、ステータ１とセレクトヘッド２とが互いに当て付けられている、つまり互いに連結されているので、１つの供給管路６１を除いたすべての供給管路６１が閉じられていることが示されている。流体接続部１６にまだ圧力が加えられていない限り、アクティブな媒体弁３はまだ閉弁されている。すなわち、媒体弁３の弁閉鎖体２４は、まだ弁シール座２５に接触している。遮断逆止弁１０は軽度に開弁されている。なぜならば、遮断逆止弁１０の弁ボールが媒体弁３の弁閉鎖体２４に当て付けられているからである。
【００８７】
流体接続部１６に圧縮空気が加えられるやいなや、媒体弁３は開弁される。これにより、弁閉鎖体２４は弁シール座２５から引き離される。流入した塗料は遮断逆止弁１０の弁ボールを前方に押しのけて、媒体流入部８をさらに大きく開放する。フラッシュ管路１１はフラッシュ逆止弁１２によって遮断される。
【００８８】
色替えのためには、まず再び圧縮空気が遮断されるので、媒体弁３は閉弁し、遮断逆止弁１０も、十分に閉じられた位置へ移動する。次いでフラッシュ管路１１を介してフラッシュ剤が導入されると、フラッシュ逆止弁１２が開弁し、フラッシュ剤が媒体管路７内に流入する。媒体流入部８を介した流出は阻止される。なぜならば、媒体流入部８は遮断逆止弁１０のシール部材によって外部に対してシールされているからである。
【００８９】
これまで説明したすべての実施形態にとって共通しているのは、遮断逆止弁１０が設けられていることである。しかし、媒体弁３のそれぞれ提案された制御は、媒体流入部８における遮断逆止弁１０の配置とは無関係にも使用され得る。遮断逆止弁１０が設けられていれば、セレクトヘッド２がステータ１から分離されている場合でも、すなわち１つの媒体弁３から別の媒体弁３へセレクトヘッド２が送られている場合でも、フラッシングを実施することが可能になる。セレクトヘッド２の位置を変える間のフラッシングを不要にしたい場合には、遮断逆止弁は必要にならない。なぜならば、セレクトヘッド２が連結されているが媒体弁３が閉弁されている場合にも、媒体管路のフラッシングを行うことができるからである。
【００９０】
図１２には、遮断逆止弁を有しない、媒体管路７と媒体流入部８とを備えたセレクトヘッド２の一部が図示されている。さらに、媒体管路７には、フラッシュ逆止弁１２を備えたフラッシュ管路１１が開口している。消費器の方向への塗料の送出をコントロールし得るようにするために、フラッシュ管路１１の開口部の下流側で媒体管路７内に別の弁が設けられていてもよい。
【００９１】
図１３には、フラッシュ逆止弁１２の、デッドスペースなしの択一的な別の構成が示されている。フラッシュ管路１１内には、媒体管路へのフラッシュ管路１１の開口のすぐ手前で閉鎖プレート７０が設けられており、この閉鎖プレート７０はフラッシュ管路１１の周壁面に対してシールされている。閉鎖プレート７０のバック側には、ステム７１が設けられており、ステム７１には、このステム７１に設けられた段部と、フラッシュ管路１１に設けられた段部との間に緊定された弁ばね７２が支持されている。フラッシュ逆止弁１２は、フラッシュ管路１１内の圧力によって開弁される。フラッシュ逆止弁１２が開弁された状態では、閉鎖プレート７０がフラッシュ管路１１から離れて、媒体管路７を遮断することなくこの媒体管路７内に位置している。
【００９２】
図１４には、フラッシュ逆止弁１２のさらに別の構成が断面図で示されている。この構成では、フラッシュ逆止弁１２が外部の制御媒体によって意図的に開弁される。このためには、制御室７３内に作動ピストン７４が配置されており、この作動ピストン７４はステム７６を介して、フラッシュ逆止弁１２の閉鎖体７５に結合されている。
【００９３】
図１５には、ステータ１とセレクトヘッド２とを備えた、図１１に示した構成に相当する色切換システムが示されている。ただし、図１１の構成とは異なり、媒体管路７は開いている。つまり、この媒体管路７には遮断逆止弁が設けられていない。媒体管路７には、第１のフラッシュ管路８０と第２のフラッシュ管路８１とが開口しており、この場合、第１のフラッシュ管路８０にはフラッシュ逆止弁８２が配置されており、このフラッシュ逆止弁８２は、図１２もしくは図１３に示した構成に相応して構成されている。第２のフラッシュ管路８１には、外部の制御媒体によって操作可能な弁８３が配置されており、この弁８３の構造は、図１４に示した弁に等しい。この第２のフラッシュ管路８１は、特に媒体管路７内に押出し媒体を供給するために用いられる。
【００９４】
弁８３の操作は、流体式、特にニューマチック式に行われる。このためには、弁８３に設けられた操作室８５に流体通路８４が通じている。この操作室８５に圧力が加えられると、弁８３は開弁するので、こうして開いた第２のフラッシュ管路８１を介して、たとえば押出し媒体が媒体管路７内に流入する。
【符号の説明】
【００９５】
１  ステータ
２  セレクトヘッド
３  媒体弁
４  媒体供給部
５  媒体弁流出部
６  フロント側
７  媒体管路
８  媒体流入部
９  バック側
１０  遮断逆止弁
１１  フラッシュ管路
１２  フラッシュ逆止弁
１６  流体接続部
１７  環状管路または分岐管路
１８  制御通路
１９  切換弁
２０  閉鎖体
２１  シールリング
２２  突起
２３  孔
２４  弁閉鎖体
２５  弁シール座
２６  シールリング
３１  制御通路
３２  流体接続部
３３  逆止弁
３４  集合制御通路
４０  循環弁
４１  付加切換弁
４２  付加制御通路
４４  接続通路
４５  突起
５０  中空通路
５１  出口
５２  スリーブ
５３  環状通路
５４  横方向孔
６１  供給管路
６２  開口
６３  継続管路
６４  栓体
６５  シールリング
６６  閉鎖部
６７  シールリング
６８  貫通孔
７０  閉鎖プレート
７１  ステム
７２  弁ばね
７３  制御室
７４  作動ピストン
７５  閉鎖体
７６  ステム
８０  第１のフラッシュ管路
８１  第２のフラッシュ管路
８２  フラッシュ逆止弁
８３  弁
８４  流体通路
８５  操作室
【図１】
2019528175.tif 000003
【図２】
2019528175.tif 000004
【図３】
2019528175.tif 000005
【図４】
2019528175.tif 000006
【図５】
2019528175.tif 000007
【図６】
2019528175.tif 000008
【図７】
2019528175.tif 000009
【図８】
2019528175.tif 000010
【図９】
2019528175.tif 000011
【図１０】
2019528175.tif 000012
【図１１】
2019528175.tif 000013
【図１２】
2019528175.tif 000014
【図１３】
2019528175.tif 000015
【図１４】
2019528175.tif 000016
【図１５】
2019528175.tif 000017
【国際調査報告】
2019528175.tif 000018
2019528175.tif 000019
2019528175.tif 000020
2019528175.tif 000021
2019528175.tif 000022
2019528175.tif 000023